(57)【要約】【課題】  ホームページの作成やデータ送信を容易に行う装置を実現する。【解決手段】  多機能端末１００はネットワーク２００に接続されている。キー情報登録手段２は、オペレーションパネル１の任意のキー１ａに、ネットワーク上の所定の宛先にアップロードするためのアクセス情報を対応させて登録する。任意のキー１ａが押された場合、ファイル作成手段４は、原稿読み取り手段３に対して原稿の読み取りを指示し、読み取り結果のデータに基づき、ブラウザで閲覧可能な画像圧縮フォーマットのファイルを作成する。ファイル転送手段５は、ファイル作成手段４で作成されたファイルを、押下された任意のキー１ａに対応して登録されているアドレスにアップロードする。【選択図】        図１
2006197634.tif 000002
【特許請求の範囲】
【請求項１】
ネットワークに多機能端末が接続されたネットワークシステムにおいて、
前記多機能端末は、
任意のキーに、前記ネットワーク上の所定の宛先にアップロードするためのアクセス情報を対応させて登録するキー情報登録手段と、
原稿を読み取り、画像データとして出力する原稿読み取り手段と、
前記任意のキーが押された場合に、前記原稿読み取り手段で原稿を読み取り、前記任意のキーに対応した宛先にアップロードするための、かつ、前記ネットワーク上の情報を閲覧するためのブラウザで参照可能な画像圧縮フォーマットのファイルを作成するファイル作成手段とを備えたことを特徴とするネットワークシステム。
【請求項２】
ネットワークに多機能端末が接続され、かつ、当該多機能端末にパーソナルコンピュータが接続されたネットワークシステムにおいて、
前記多機能端末は、
任意のキーに、前記ネットワーク上の所定の宛先にアップロードするためのアクセス情報を対応させて登録するキー情報登録手段と、
原稿を読み取り、画像データとして出力する原稿読み取り手段と、
前記任意のキーが押された場合に、前記原稿読み取り手段で原稿を読み取り、当該原稿の画像データを前記パーソナルコンピュータに通知する通知手段と、
前記通知した内容に対する前記パーソナルコンピュータからの応答に基づき、前記ネットワーク上の宛先にアップロードするためのファイルを作成するファイル作成手段とを備え、
前記パーソナルコンピュータは、
前記多機能端末より受け取った画像ファイルからテキスト抽出を行い、当該抽出したテキストデータを前記多機能端末への応答とするテキストファイル作成手段とを備えたことを特徴とするネットワークシステム。
【請求項３】
請求項１または２に記載のネットワークシステムにおいて、
ファイル作成手段は、ブラウザで参照するページの記述言語を使用したフォーマットのファイルを作成するよう構成されていることを特徴とするネットワークシステム。
【請求項４】
請求項１〜３のいずれかに記載のネットワークシステムにおいて、
ファイル作成手段で作成したファイルをＦＴＰを用いて前記ネットワーク上のサーバに転送するファイル転送手段を備えたことを特徴とするネットワークシステム。
【請求項５】
画像読み取り手段を有する多機能端末と、パーソナルコンピュータとが接続され、かつ、当該パーソナルコンピュータがネットワークに接続されたネットワークシステムにおいて、
前記多機能端末は、
任意のキーに、前記ネットワーク上の特定の宛先にアクセスするための宛先情報を登録するキー情報登録手段と、
前記任意のキーが押下された場合、当該キーに登録されている宛先情報を前記パーソナルコンピュータに出力するアドレス情報出力手段と、
前記パーソナルコンピュータは、
前記宛先情報を受け取った場合、前記多機能端末に対して、画像読み取りを指示する画像読み取り指示手段とを備えたことを特徴とするネットワークシステム。
【請求項６】
請求項５に記載のネットワークシステムにおいて、
多機能端末は、
画像読み取り結果をパーソナルコンピュータに出力する画像読み取り手段を備え、
前記パーソナルコンピュータは、
前記多機能端末より送られた宛先情報と画像読み取り結果を元に、当該宛先情報に対応した宛先へ、前記画像を含むメール送信を行うメール送信手段を備えたことを特徴とするネットワークシステム。
【請求項７】
印刷手段を有する多機能端末と、パーソナルコンピュータとが接続され、かつ、当該パーソナルコンピュータがネットワークに接続されたネットワークシステムにおいて、
前記多機能端末は、
任意のキーに、前記ネットワーク上の特定の情報の位置を示すアドレス情報を登録するキー情報登録手段と、
前記任意のキーが押下された場合、当該キーに登録されているアドレス情報を前記パーソナルコンピュータに出力するアドレス情報出力手段とを備え、
前記パーソナルコンピュータは、
前記多機能端末よりアドレス情報を受け取った場合に起動し、受け取ったアドレス情報を元に、当該アドレスにアクセスして対応する画像データを取得し、これを印刷データとして前記多機能端末に送信する情報取得手段を備えたことを特徴とするネットワークシステム。
【請求項８】
起動通知を受けるとＥ−ｍａｉｌを送受信するための機能を動作させパーソナルコンピュータに接続可能であって、画像読み取り手段を有する多機能端末において、
特定の機能を割り付けられたキーと、
前記キーが押下された場合、前記パーソナルコンピュータに前記Ｅ−ｍａｉｌの送受信の起動通知を出力するＥ−ｍａｉｌ起動通知出力手段と、
Ｅ−ｍａｉｌ起動通知を出力した後、前記パーソナルコンピュータからの指示に基づいて前記画像読み取り手段により読み取られた画データを前記パーソナルコンピュータに転送する画データ転送手段とを含むことを特徴とする多機能端末。
【発明の詳細な説明】
【技術分野】
【０００１】
本発明は、画像の読み取りや画像の印刷を行う多機能端末を用いてネットワーク上へのアップロードやダウンロードを行うネットワークシステムに関するものである。
【背景技術】
【０００２】
一般に、インターネット上のサーバコンピュータ（以降、サーバと称する）にホームページを作成してアップロード（クライアントからサーバに転送する）する手段としては、パーソナルコンピュータ上のエディタでＨＴＭＬ（Ｈｙｐｅｒ  Ｔｅｘｔ  Ｍａｒｋｕｐ  Ｌａｎｇｕａｇｅ）の文法に従ってホームページを作成し、ＦＴＰ転送用のアプリケーションソフトウェアにてアップロードする方法があった。
【発明の開示】
【発明が解決しようとする課題】
【０００３】
しかしながら、上記従来の形態において、ホームページ作成用のアプリケーションソフトウェアを使わない場合では、テキストエディタ（テキスト文章を作成、あるいは編集するためのアプリケーションソフトウェア）を用いてＨＴＭＬの文法に従って文章を入力する必要がある。また、ホームページ作成用のアプリケーションソフトウェアを使った場合でも、構成や色等は自動的にＨＴＭＬタグ（ＨＴＭＬ文書の中で、種々のレイアウトの指定を行う場合に使う文法）に変換されるが、本文はテキストエディタと同様に手作業で入力する必要がある。そして、この本文を入力する煩わしさが、ホームページが更新されない大きな原因となっていた。また、ホームページをサーバにアップロードする際のＦＴＰアプリケーションソフトウェアを起動し、サーバに接続する操作および転送ファイルの転送先と転送元の指定を行う操作等も煩わしい作業であるため、これもホームページが更新されない原因となっていた。
【０００４】
しかし、従来アップロードする際には、パーソナルコンピュータ起動型で多機能端末を操作し、パーソナルコンピュータのインターネットメール機能を利用して宛先に送信するという形態であった。しかしながら、このような形態は、先ず、パーソナルコンピュータから多機能端末を起動し、多機能端末で原稿を読み取り、次に、パーソナルコンピュータのメーラーアプリケーション（電子メールを読み書きするソフトウェアの総称）を起動し、メーラーアプリケーションに読み取りデータを添付ファイルとして渡して、アドレス帳等からＥ−ｍａｉｌアドレス、タイトル等を記入して送信する、といったいくつものステップが必要となり、使い勝手が悪いという問題があった。
【０００５】
更に、従来、ホームページを印刷するには、パーソナルコンピュータにおいて、ブラウザ（ホームページを検索、閲覧するためのソフトウェア）を起動して、ＵＲＬ（Ｕｎｉｆｏｒｍ  Ｒｅｓｏｕｒｃｅ  Ｌｏｃａｔｏｒ：インターネット上にある情報の位置を一意に表現するための記述形式をいう）を入力し、取得したホームページを目視し、ブラウザのメニューからプリンタに印刷を指示するといった手順であった。
【０００６】
このような方法は、パーソナルコンピュータにおいてブラウザを起動してＵＲＬを入力し、ホームページを目視し、ブラウザのメニューから印刷するといった一連の操作が必要である。しかしながら、このような操作は、ホームページを検索しながら印刷する場合には必須であるが、最初から印刷すべきホームページが分かっている場合には、非常に煩わしい作業であった。
【課題を解決するための手段】
【０００７】
本発明は、前述の課題を解決するため次の構成を採用する。
〈構成１〉
ネットワークに多機能端末が接続されたネットワークシステムにおいて、多機能端末は、任意のキーに、ネットワーク上の所定の宛先にアップロードするためのアクセス情報を対応させて登録するキー情報登録手段と、原稿を読み取り、画像データとして出力する原稿読み取り手段と、任意のキーが押された場合に、原稿読み取り手段で原稿を読み取り、任意のキーに対応した宛先にアップロードするための、かつ、ネットワーク上の情報を閲覧するためのブラウザで参照可能な画像圧縮フォーマットのファイルを作成するファイル作成手段とを備えたことを特徴とするネットワークシステム。
【０００８】
〈構成２〉
ネットワークに多機能端末が接続され、かつ、多機能端末にパーソナルコンピュータが接続されたネットワークシステムにおいて、多機能端末は、任意のキーに、ネットワーク上の所定の宛先にアップロードするためのアクセス情報を対応させて登録するキー情報登録手段と、原稿を読み取り、画像データとして出力する原稿読み取り手段と、任意のキーが押された場合に、原稿読み取り手段で原稿を読み取り、原稿の画像データをパーソナルコンピュータに通知する通知手段と、通知した内容に対するパーソナルコンピュータからの応答に基づき、ネットワーク上の宛先にアップロードするためのファイルを作成するファイル作成手段とを備え、パーソナルコンピュータは、多機能端末より受け取った画像ファイルからテキスト抽出を行い、抽出したテキストデータを多機能端末への応答とするテキストファイル作成手段とを備えたことを特徴とするネットワークシステム。
【０００９】
〈構成３〉
構成１または２に記載のネットワークシステムにおいて、ファイル作成手段は、ブラウザで参照するページの記述言語を使用したフォーマットのファイルを作成するよう構成されていることを特徴とするネットワークシステム。
【００１０】
〈構成４〉
構成１〜３のいずれかに記載のネットワークシステムにおいて、ファイル作成手段で作成したファイルをＦＴＰを用いてネットワーク上のサーバに転送するファイル転送手段を備えたことを特徴とするネットワークシステム。
【００１１】
〈構成５〉
画像読み取り手段を有する多機能端末と、パーソナルコンピュータとが接続され、かつ、パーソナルコンピュータがネットワークに接続されたネットワークシステムにおいて、多機能端末は、任意のキーに、ネットワーク上の特定の宛先にアクセスするための宛先情報を登録するキー情報登録手段と、任意のキーが押下された場合、キーに登録されている宛先情報をパーソナルコンピュータに出力するアドレス情報出力手段と、パーソナルコンピュータは、宛先情報を受け取った場合、多機能端末に対して、画像読み取りを指示する画像読み取り指示手段とを備えたことを特徴とするネットワークシステム。
【００１２】
〈構成６〉
構成５に記載のネットワークシステムにおいて、多機能端末は、画像読み取り結果をパーソナルコンピュータに出力する画像読み取り手段を備え、パーソナルコンピュータは、多機能端末より送られた宛先情報と画像読み取り結果を元に、宛先情報に対応した宛先へ、画像を含むメール送信を行うメール送信手段を備えたことを特徴とするネットワークシステム。
【００１３】
〈構成７〉
印刷手段を有する多機能端末と、パーソナルコンピュータとが接続され、かつ、パーソナルコンピュータがネットワークに接続されたネットワークシステムにおいて、多機能端末は、任意のキーに、ネットワーク上の特定の情報の位置を示すアドレス情報を登録するキー情報登録手段と、任意のキーが押下された場合、キーに登録されているアドレス情報をパーソナルコンピュータに出力するアドレス情報出力手段とを備え、パーソナルコンピュータは、多機能端末よりアドレス情報を受け取った場合に起動し、受け取ったアドレス情報を元に、アドレスにアクセスして対応する画像データを取得し、これを印刷データとして多機能端末に送信する情報取得手段を備えたことを特徴とするネットワークシステム。
【００１４】
〈構成８〉
起動通知を受けるとＥ−ｍａｉｌを送受信するための機能を動作させパーソナルコンピュータに接続可能であって、画像読み取り手段を有する多機能端末において、特定の機能を割り付けられたキーと、キーが押下された場合、パーソナルコンピュータにＥ−ｍａｉｌの送受信の起動通知を出力するＥ−ｍａｉｌ起動通知出力手段と、Ｅ−ｍａｉｌ起動通知を出力した後、パーソナルコンピュータからの指示に基づいて画像読み取り手段により読み取られた画データをパーソナルコンピュータに転送する画データ転送手段とを含むことを特徴とする多機能端末。
【発明を実施するための最良の形態】
【００１５】
以下、本発明の実施の形態を具体例を用いて詳細に説明する。
【００１６】
《具体例１》
〈構成〉
図１は本発明のネットワークシステムの具体例１を示す機能ブロック図である。
図において、多機能端末（ＭＦＰ：Ｍｕｌｔｉｆｕｎｃｔｉｏｎ  Ｐｅｒｉｐｈｅｒａｌ）１００は、オペレーションパネル１、キー情報登録手段２、原稿読み取り手段３、ファイル作成手段４、ファイル転送手段５を備え、この多機能端末１００がネットワーク２００に接続されている。
【００１７】
オペレーションパネル１は、特定の機能を割り付けることのできるキー１ａを備えたもので、多機能端末１００におけるユーザインタフェースである。キー情報登録手段２は、オペレーションパネル１のキー１ａにインターネットの所定の宛先であるサーバアドレスを登録する機能を有している。原稿読み取り手段３は、原稿を読み取り、画像データとして出力する機能を有している。ファイル作成手段４は、オペレーションパネル１のキー１ａを押下した場合に、原稿読み取り手段３に対して原稿の読み取りを指示し、原稿読み取り手段３で読み取った原稿を、キー情報登録手段２で登録されている名前でホームページ参照用のブラウザで参照可能な画像圧縮フォーマットのファイルを作成し、更に、ホームページ記述言語を使用したフォーマットのファイルを作成する機能を有している。ファイル転送手段５は、ファイル作成手段４で作成したファイルをＦＴＰでサーバに転送する機能部である。
【００１８】
図２は、具体例１のネットワークシステムの構成図であり、図１の機能を実現する各ブロックを示したものである。
図において、多機能端末１００は、オペレーションパネル１、ネットワークボード６、モデムユニット７、スキャナユニット８、プリンタユニット９、ＣＰＵ１０、ＲＡＭ１１、ＲＯＭ１２、パラレルインタフェースユニット１３を備えている。また、多機能端末１００はネットワーク２００に接続されていると共に、パラレルインタフェースケーブル４００を介してパーソナルコンピュータ（ＰＣ）３００と接続されている。
【００１９】
オペレーションパネル１は、ワンタッチキー１−１、テンキー１−２、表示用液晶ディスプレイ（ＬＣＤ）１−３を備えている。ワンタッチキー１−１は、そのキーに特定の機能を割り当てることのできるキーであり、Ｎｏ．１、Ｎｏ．２…Ｎｏ．ｎ（ｎは必要数）のキーからなる。テンキー１−２は、数字やアルファベットを入力するためのキーである。また、表示用液晶ディスプレイ１−３は、入力されたキー情報や各種の情報を表示するためのディスプレイである。
【００２０】
ネットワークボード６は、ＬＡＮ等のネットワークを経由してネットワーク２００上のサーバ（図示せず）に接続するためのインタフェースである。モデムユニット７は、ＦＡＸ通信の役割を担う変復調装置である。スキャナユニット８は、原稿の読み取りを行うためのユニットである。プリンタユニット９は、印刷出力するための印刷ユニットである。
【００２１】
ＣＰＵ１０は各機能部を制御するためのプロセッサである。ＲＡＭ１１は、管理用データの格納や動作時の一時的なバッファとして使用するためのメモリである。ＲＯＭ１２は、各種の制御用ソフトウェアを格納するための不揮発性メモリである。パラレルインタフェースユニット１３は、パラレルインタフェースケーブル４００でパーソナルコンピュータ３００と接続するための多機能端末１００側のインタフェースである。また、パラレルインタフェースケーブル４００は、例えばセントロニクスケーブルといったプリンタとパーソナルコンピュータを接続するためのケーブルである。
【００２２】
これらの各ユニットやオペレーションパネル１は、ＲＯＭ１２に格納されているソフトウェアをＣＰＵ１０が実行することにより制御されている。次に、その制御ソフトウェアのモジュール構成を説明する。
【００２３】
図３は、制御ソフトウェアのモジュール構成図である。
図示のモジュールは、ＯＰＥタスク１２ａ、ＳＣＮタスク１２ｂ、ＰＲＴタスク１２ｃ、ＭＤＭタスク１２ｄ、ＭＳＳタスク１２ｅ、ＭＡＮタスク１２ｆ、ＢＩＣタスク１２ｇ、ＭＦＰタスク１２ｈ、ＥＤＴタスク１２ｉ、ＮＥＴタスク１２ｊからなる。
【００２４】
ＯＰＥタスク１２ａは、多機能端末１００の登録／設定等のキー操作および表示用液晶ディスプレイの表示等のマンマシンインタフェースを制御するモジュールである。ＳＣＮタスク１２ｂは、スキャナユニット８による読み取りの制御、ＰＲＴタスク１２ｃは、プリンタユニット９による印刷の制御、ＭＤＭタスク１２ｄは、モデムユニット７による通信の制御、ＭＳＳタスク１２ｅは、パーソナルコンピュータ３００と多機能端末１００との間で登録設定等のファイルを送受信するためのタスクである。
【００２５】
また、ＢＩＣタスク１２ｇは、パーソナルコンピュータ３００と多機能端末１００との接続ケーブルにおけるデータ転送の制御を行うモジュール、ＭＦＰタスク１２ｈは、マルチファンクション機能を実現するためのモジュール、ＥＤＴタスク１２ｉは、ＳＣＮタスク１２ｂで読み取った画像データをＪＰＥＧフォーマットに変換し、更に各種ブラウザで参照可能にするためにＨＴＭＬのフォーマットに変換するためのモジュール、ＮＥＴタスク１２ｊはネットワークボード６を制御し、ネットワーク２００上にＦＴＰのプロトコルにてＥＤＴタスク１２ｉで作成したファイルを転送する役割を果たすものである。
【００２６】
また、これらのモジュールの動作状態をＭＡＮタスク１２ｆが管理し、スキャナ、印刷、モデム等の有効資源を物理的およびソフト的にユーザに配分することによって様々な機能を提供している。
【００２７】
図４は、多機能端末１００におけるＲＡＭ１１内のエリア説明図である。
エリアとしては、各種装置管理用エリア１１ａ、ワンタッチキー情報登録エリア１１ｂ、ＥＤＴ用データ管理エリア１１ｃ、Ｅ−ｍａｉｌ情報作成用エリア１１ｄ、サーバアクセス用情報エリア１１ｅからなる。
【００２８】
各種装置管理用エリア１１ａは、多機能端末１００のＩＤ情報といった多機能端末１００の管理情報を格納するためのエリアである。ワンタッチキー情報登録エリア１１ｂは、ワンタッチキー番号エリア１１ｂ−１、宛先情報エリア１１ｂ−２、種別エリア１１ｂ−３からなる。ここで、ワンタッチキー番号エリア１１ｂ−１は、ワンタッチキー１−１の番号情報であり、また、宛先情報エリア１１ｂ−２は、登録されている宛先情報である。種別エリア１１ｂ−３は、そのワンタッチキーの情報が、電話番号であるか、またはＥ−ｍａｉｌアドレスか、あるいはサーバアドレスかを切り分けるための情報を格納するためのエリアである。
【００２９】
ＥＤＴ用データ管理エリア１１ｃは、ＨＴＭＬファイル作成エリア１１ｃ−１と、ＪＰＥＧファイル作成エリア１１ｃ−２からなる。ここで、ＨＴＭＬファイル作成エリア１１ｃ−１は、ＨＴＭＬフォーマットのファイルを作成するためのエリアであり、ＪＰＥＧファイル作成エリア１１ｃ−２は、ＪＰＥＧフォーマットのファイルの作成を行うためのエリアである。
【００３０】
Ｅ−ｍａｉｌ情報作成用エリア１１ｄは、件名エリア、差出人エリア、宛先情報エリア、添付ファイル情報エリアからなり、Ｅ−ｍａｉｌとして必要な情報を保持するためのエリアである。
【００３１】
サーバアクセス用情報エリア１１ｅは、アカウント１１ｅ−１、パスワード１１ｅ−２、ＨＴＭＬファイル名１１ｅ−３、ＪＰＥＧファイル名１１ｅ−４、転送先ディレクトリ１１ｅ−５、ＨＴＭＬタイトル＆内容エリア１１ｅ−６からなり、これらの各エリアはサーバアドレスが登録されているワンタッチキー１−１の個数分準備する。
【００３２】
アカウント１１ｅ−１はサーバにアクセスするためのアカウントの情報、パスワード１１ｅ−２はサーバにアクセスするためのパスワードの情報、ＨＴＭＬファイル名１１ｅ−３は作成するＨＴＭＬファイル名、ＪＰＥＧファイル名１１ｅ−４は作成するＪＰＥＧファイル名、転送先ディレクトリ１１ｅ−５はファイルの転送先のディレクトリ名、ＨＴＭＬタイトル＆内容エリア１１ｅ−６は、テキストにて、タイトルと読み取ったデータが何の情報かを説明するための文章を格納するためのエリアである。
【００３３】
サーバアクセス用情報エリア１１ｅに格納されるデータは、多機能端末１００のオペレーションパネル１にて表示用液晶ディスプレイ１−３でテンキー１−２によるアルファベットおよび数字の入力を確認しながら登録することができる。
【００３４】
以上説明したような図２〜図３の構成と図１に示した各機能ブロックとは次のように対応している。即ち、図１のキー１ａはワンタッチキー１−１に、キー情報登録手段２はＯＰＥタスク１２ａに、原稿読み取り手段３はＳＣＮタスク１２ｂに、ファイル作成手段４はＥＤＴタスク１２ｉに、ファイル転送手段５はＮＥＴタスク１２ｊに対応し、かつ、それぞれのタスクをＭＡＮタスク１２ｆが管理している。
【００３５】
〈動作〉
動作の説明に先立ち、図４で示した装置情報管理用エリアに登録される内容の例を説明する。
【００３６】
先ず、ワンタッチキー情報登録エリア１１ｂの情報として、ワンタッチキー番号がワンタッチキー番号エリア１１ｂ−１に、電話番号、Ｅ−ｍａｉｌアドレス、サーバアドレス等の宛先情報が宛先情報エリア１１ｂ−２に、その種別情報が種別エリア１１ｂ−３にそれぞれ登録される。
【００３７】
例えば、ワンタッチキーのＮｏ．１は、宛先がａ＠ｂｃｄ．ｃｏ．ｊｐで種別はＥ−ｍａｉｌとし、ワンタッチキーＮｏ．２は、宛先が０２７−３２８−ＸＸＸＸで種別がＴＥＬ（電話番号）とし、ワンタッチキーＮｏ．３は、宛先がｍｆｐｓｅｒｖｅｒ．ｃｏ．ｊｐで種別はサーバアドレスとする。
【００３８】
種別がサーバアドレスの場合は、更に、サーバにアクセスするための、アカウント１１ｅ−１、パスワード１１ｅ−２、ＨＴＭＬファイル名１１ｅ−３、ＪＰＥＧファイル名１１ｅ−４、転送先ディレクトリ１１ｅ−５等の情報がサーバアクセス用情報エリア１１ｅに登録される。例えば、アカウント名はａｂｃｍｆｐｔｅａｍ、パスワードは１２３４、ＨＴＭＬファイル名はｍｆｐｎｅｗｓ．ｈｔｍ、ＪＰＥＧファイル名はｍｆｎｅｗｓ．ｊｐｇとする。
【００３９】
次に、ワンタッチキーが押下された場合の動作を説明する。
図５は、具体例１の動作フローチャートである。
先ず、登録済みのいずれかのワンタッチキーが押下された場合（ステップＳ１１）、ＯＰＥタスク１２ａは、ワンタッチキー情報登録エリア１１ｂの種別エリア１１ｂ−３を見て、Ｅ−ｍａｉｌ用かＦＡＸ用かサーバアドレスかの判断を行う（ステップＳ１２）。即ち、ステップＳ１１において、原稿をセットしてホームページをアップロードするサーバアドレスが登録されているキーを押すと、ステップＳ１２において、ワンタッチキー情報登録エリア１１ｂの種別で判断する。
【００４０】
ステップＳ１２において、種別がＴＥＬやＥ−ｍａｉｌの場合（本具体例ではワンタッチキーＮｏ．１かＮｏ．２を押した場合）は通常のＦＡＸ送信あるいはインターネットＦＡＸ送信の処理を行う（ステップＳ１３）。
【００４１】
種別がサーバアドレスの場合（本具体例ではワンタッチキーＮｏ．３を押した場合）は、スキャナが利用可能かどうかを判断して（ステップＳ１４）、スキャナが利用可能な場合は、ＳＣＮタスク１２ｂの制御の元にスキャナユニット８にて原稿の読み取りを開始し、読み取ったデータをＪＰＥＧファイル作成エリア１１ｃ−２に格納する（ステップＳ１５）。
【００４２】
読み取りが正常に終了した場合は、ＥＤＴタスク１２ｉにて、ＪＰＥＧファイル作成エリア１１ｃ−２に格納された読み取りデータをＪＰＥＧのフォーマットに変換する（ステップＳ１６）。ＪＰＥＧのフォーマットに変換が終了した後に所定のフォーマット（後述する図６のフォーマット）でＨＴＭＬファイル作成エリア１１ｃ−１に、サーバアクセス用情報エリア１１ｅのＨＴＭＬタイトル＆内容エリア１１ｅ−６に登録されている内容を元にＨＴＭＬファイルを作成する（ステップＳ１７）。
【００４３】
図６は、ＨＴＭＬファイルのソースコードの説明図である。
図７は、ブラウザでの表示例の説明図である。
【００４４】
これら図６、図７の例は、ＨＴＭＬタイトル＆内容エリア１１ｅ−６のタイトルが、“ａｂｃ社の本日の特価商品”、内容が“このホームページはａｂｃ社の特価情報をお知らせするものです”と登録されていた場合の例である。タイトルの情報は、図６中の「１」と「２」のように、ソースコードに反映する。内容は、図６中の「３」のようにソースコードに反映する。
【００４５】
この際のＨＴＭＬファイル名およびＪＰＥＧファイル名は、サーバアクセス用情報エリア１１ｅの中に登録されているファイル名としてファイルを作成する。図６の例は、サーバアクセス用情報エリア１１ｅのＪＰＥＧファイル名１１ｅ−４に、“ｍｆｐｎｅｗｓ．ｊｐｇ”、ＨＴＭＬファイル名１１ｅ−３に“ｍｆｐｎｅｗｓ．ｈｔｍ”という名前で登録されている例である。これらの名前は、図６中の「４」に示すようにソースコードに反映される。
【００４６】
図６に示すソースコードをブラウザで実際に見た場合が図７の状態である。
図中、Ａ部分がステップＳ１６で作成したＪＰＥＧファイル“ｍｆｐｎｅｗｓ．ｊｐｇ”の表示部分である。
【００４７】
ファイルの作成が終了すると、ネットワークボード６を制御するＮＥＴタスク１２ｊが、サーバアクセス用情報エリア１１ｅのアカウント１１ｅ−１およびパスワード１１ｅ−２を使用してネットワークボード６に組み込まれているＦＴＰプロトコルに則ってサーバにアクセスするようにネットワークボード６を制御し、サーバアクセス用情報エリア１１ｅに登録されているＨＴＭＬファイル名１１ｅ−３とＪＰＥＧファイル名１１ｅ−４のファイルを、転送先ディレクトリ１１ｅ−５のディレクトリに対してＦＴＰ転送することによってサーバ上のホームページが更新される（図５のステップＳ１８）。
【００４８】
尚、ステップＳ１４において、スキャナユニット８が使用できない場合は、オペレーションパネル１の表示用液晶ディスプレイ１−３にその旨の表示を出し、待機状態に戻る（ステップＳ１９）。
【００４９】
〈効果〉
以上のように具体例１によれば、多機能端末１００において、ワンタッチキー１−１にサーバアドレスおよびアクセスのための情報を登録するようにし、ワンタッチキー１−１が押下された場合は、原稿を読み取り、ホームページとしてブラウザで参照可能なファイルフォーマットに変換してインターネット上のサーバにアップロードするようにしたので、次のような効果がある。
【００５０】
即ち、多機能端末１００に原稿をセットして対応するワンタッチキー１−１を押すのみでインターネットに読み取りデータを送信できるため、従来のようにパーソナルコンピュータにおいてホームページを作成する等の煩わしい操作や、従来のようにホームページ用のサーバにホームページのデータを送信する際にインターネットに接続するための設定を毎回行う必要がなくなり、使い勝手が向上し、ホームページの更新を簡単に行うことができる。
【００５１】
尚、具体例１において、画像データをＪＰＥＧフォーマットに変換する形態を説明したが、この際のフォーマットはホームページとしてブラウザで参照可能なファイルフォーマットであれば、例えばＧＩＦフォーマットやＴＩＦＦフォーマットといったＪＰＥＧフォーマット以外であってもよい。
【００５２】
《具体例２》
具体例２は、具体例１の構成に加えて、多機能端末に接続されたパーソナルコンピュータに画像データからテキスト抽出を指示するようにしたものである。
【００５３】
〈構成〉
図８は、具体例２の機能ブロック図である。
図において、多機能端末（ＭＦＰ）１００Ａは、オペレーションパネル１、キー情報登録手段２、原稿読み取り手段３、ファイル作成手段４ａ、ファイル転送手段５、通知手段１４を備え、この多機能端末１００Ａがネットワーク２００とパーソナルコンピュータ（ＰＣ）３００Ａに接続されている。ここで、ファイル作成手段４ａと通知手段１４およびパーソナルコンピュータ３００Ａ以外の構成は具体例１と同様であるため、異なる構成要素のみ説明する。
【００５４】
通知手段１４は、オペレーションパネル１のキー１ａを押した場合に原稿読み取り手段３への読み取り指示を行い、この原稿読み取り手段３で読み取った画像データをパーソナルコンピュータ３００Ａに通知する機能を有している。ファイル作成手段４ａは、具体例１における通知手段１４の機能に加えて、通知手段１４によって通知された内容に対するパーソナルコンピュータ３００Ａからの応答に基づき、ホームページ記述言語を使用したフォーマットのファイルを作成する機能部である。
【００５５】
パーソナルコンピュータ３００Ａは、テキストファイル作成手段３０１を備えている。このテキストファイル作成手段３０１は、多機能端末１００Ａの通知手段１４から送られた画像ファイルからテキスト抽出を行う機能部である。
【００５６】
また、図８の機能を実現するための図面上の構成は具体例１の図２で示したものと同様であるため、図２を援用して説明する。
【００５７】
図９は、ＲＯＭ１２に格納された制御ソフトウェアのモジュール構成の説明図である。
具体例１との構成の違いは、読み取った画像データをパーソナルコンピュータ３００Ａのアプリケーションソフトウェアを使ってテキスト形式に変換するために、パーソナルコンピュータ３００Ａに読み取りデータを送信するためのパケットの作成や、パーソナルコンピュータ３００Ａから受信したパケット化されたテキストデータを取り扱うメモリサブシステム１（ＭＳＳ１）１２ｋを設けた点である。
【００５８】
図１０は、ＲＡＭ１１内エリア説明図である。
具体例１との違いは、ＥＤＴ用データ管理エリア１１ｃの中に、テキストファイル作成エリア１１ｃ−３を設けた点、サーバアクセス用情報エリア１１ｅの中にテキスト形式指定エリア１１ｅ−７を設けた点、およびＭＳＳ１用パケット管理エリア１１ｆを設けた点である。ＭＳＳ１用パケット管理エリア１１ｆは、送信エリア１１ｆ−１と受信エリア１１ｆ−２から構成される。
【００５９】
図１１は、パーソナルコンピュータ３００Ａ上のソフトウェアおよびメモリの構成図である。
オペレーティングシステム３００ａ上に、パラレルインタフェースケーブル４００を使ってデータを送受信するためのパラレルインタフェース用モジュール３００ｄ、マルチファンクションを実現するためのＭＦＰＩ用モジュール３００ｃ、および多機能端末１００Ａとファイル転送を行うための機能を実現するＭＳＳ１用モジュール３００ｂが組み込まれ、パケット管理用エリア３００ｆを使用して動作している。
【００６０】
また、ＯＣＲ（Ｏｐｔｉｃａｌ  Ｃｈａｒａｃｔｅｒ  Ｒｅｃｏｇｎｉｔｉｏｎの略語で、画像ファイルまたは紙に印刷された文字を文書データとして読み込むための道具）の制御やＯＣＲ後のデータを修正するためのＯＣＲ＆修正用アプリケーション３００ｅが組み込まれ、これらのアプリケーションソフトウェアはオペレーティングシステム３００ａの管理下で動作している。
【００６１】
パケット管理用エリア３００ｆは、送信エリア３００ｆ−１と受信エリア３００ｆ−２から構成されている。
【００６２】
図１２は、パケットの構成説明図である。
パケット５００は、図示のように、パケット種別５００ａ、ユニットＩＤ５００ｂおよびサブシステム毎に決められた内容を格納するエリア５００ｃから構成されている。ＭＳＳ１用のパケットの内容としては、転送するファイルやＯＣＲ起動通知等のコマンドが格納される。
【００６３】
以上説明したような図２および図９の構成と、図８に示した各機能ブロックとは次のように対応している。即ち、図８のキー１ａは図２のワンタッチキー１−１に、キー情報登録手段２はＯＰＥタスク１２ａに、原稿読み取り手段３はＳＣＮタスク１２ｂに、ファイル作成手段４ａはＭＳＳ１タスク１２ｋとＥＤＴタスク１２ｉに、ファイル転送手段５はＮＥＴタスク１２ｊに、通知手段１４はＭＳＳ１タスク１２ｋに対応し、かつ、それぞれのタスクをＭＡＮタスク１２ｆが管理している。また、図８におけるテキストファイル作成手段３０１は、図１１のＭＳＳ１用モジュール３００ｂおよびＯＣＲ＆修正用アプリケーション３００ｅに対応し、かつ、これらをオペレーティングシステム３００ａが管理している。
【００６４】
〈動作〉
図１３は、多機能端末１００Ａとパーソナルコンピュータ３００Ａ間のデータの受け渡しのシーケンスチャートである。
図１４は、多機能端末１００Ａ側の動作フローチャートである。
【００６５】
先ず、ワンタッチキー番号、宛先情報および電話番号／Ｅ−ｍａｉｌアドレス／サーバアドレス等の宛先種別が、それぞれワンタッチキー情報登録エリア１１ｂの、ワンタッチキー番号エリア１１ｂ−１、宛先情報エリア１１ｂ−２、種別エリア１１ｂ−３に登録される。例えば、ワンタッチキーＮｏ．１は、宛先ａ＠ｂｃｄ．ｃｏ．ｊｐで種別はＥ−ｍａｉｌとし、ワンタッチキーＮｏ．２は、宛先が０２７−３２８−ＸＸＸＸで種別がＴＥＬ（電話番号）とし、ワンタッチキーＮｏ．３は、宛先がｍｆｐｓｅｒｖｅｒ．ｃｏ．ｊｐで種別はサーバアドレスとする。
【００６６】
種別がサーバアドレスの場合は、更に、サーバにアクセスするための、アカウント１１ｅ−１、パスワード１１ｅ−２、ＨＴＭＬファイル名１１ｅ−３、ＪＰＥＧファイル名１１ｅ−４、転送先ディレクトリ１１ｅ−５等の情報がサーバアクセス用情報エリア１１ｅに登録される。例えば、アカウント名はａｂｃｍｆｐｔｅａｍ、パスワードは１２３４、ＨＴＭＬファイル名はｍｆｐｎｅｗｓ．ｈｔｍ、ＪＰＥＧファイル名はｍｆｎｅｗｓ．ｊｐｇとする。ここまでは具体例１と同様である。
【００６７】
具体例２として新たに追加した点は、図１０に示すサーバアクセス用情報エリア１１ｅのテキスト形式指定エリア１１ｅ−７にてテキスト形式を指定する手段を設けた点である。
【００６８】
図１３のシーケンスチャートにおいて、（１）ワンタッチキー押下からの動作を図１４のフローに沿って説明する。先ず、登録済みのワンタッチキーが押された場合（ステップＳ２１）、ＯＰＥタスク１２ａは、ワンタッチキー情報登録エリア１１ｂの種別エリア１１ｂ−３を見て、Ｅ−ｍａｉｌ用かＦＡＸ用かサーバアドレスかの判断を行う（ステップＳ２２）。種別がＴＥＬの場合（本具体例ではワンタッチキーＮｏ．２を押した場合）は通常のＦＡＸ送信の処理を行い、Ｅ−ｍａｉｌの場合（本具体例ではワンタッチキーＮｏ．１を押した場合）は、通常のインターネットＦＡＸ送信を行う（ステップＳ２３）。
【００６９】
種別がサーバアドレスの場合（本具体例ではワンタッチキーＮｏ．３を押した場合）は、サーバアクセス用情報エリア１１ｅのテキスト形式指定エリア１１ｅ−７を見て、ホームページをテキスト形式にするかＪＰＥＧ形式にするかの判断を行う（ステップＳ２４）。ここで、テキスト形式の指定がなされていない場合は具体例１と同様の処理を行う（ステップＳ２５）。
【００７０】
ステップＳ２４において、テキスト形式の指定がなされていた場合は、ＭＡＮタスク１２ｆにてスキャナが利用可能かどうかを判断する（ステップＳ２６）。原稿がなかったり、スキャナが利用できない状態の場合はオペレーションパネル１の表示用液晶ディスプレイ１−３にその旨の表示を出し、待機状態に戻る（ステップＳ２７）。スキャナが利用可能な場合は、ＳＣＮタスク１２ｂの制御の元にスキャナユニット８にて原稿の読み取りを開始し、読み取ったデータをＪＰＥＧファイル作成エリア１１ｃ−２に格納する（ステップＳ２８）。
【００７１】
ステップＳ２８の格納後、ＭＦＰタスク１２ｈは、ＭＳＳ１用パケット管理エリア１１ｆの送信エリア１１ｆ−１にＯＣＲ起動通知用パケットを作成し、送信する（図１３中（２）および図１４のステップＳ２９）。尚、パケットは図１２に示すような構成のパケットである。ここで、パケット種別５００ａおよびＭＳＳ１用のパケット識別子であるユニットＩＤ５００ｂは、システム毎にパーソナルコンピュータ３００Ａと多機能端末１００Ａにて取り決める。
【００７２】
作成されたパケットは、ＢＩＣタスク１２ｇによって、パラレルインタフェースケーブル４００からホストであるパーソナルコンピュータ３００Ａに送信される。そして、ＭＡＮタスク１２ｆは、パーソナルコンピュータ３００Ａが応答しない場合の応答タイマを起動し（ステップＳ３０）、ＯＣＲ起動通知用のパケットに対するパーソナルコンピュータ３００Ａからの応答を待って次の処理に移行する（ステップＳ３１）。
【００７３】
パーソナルコンピュータ３００ＡからＯＣＲ起動受付応答（図１３の（７））があった場合は、ＢＩＣタスク１２ｇによって、パラレルインタフェースケーブル４００からＯＣＲ起動通知応答パケットがＭＳＳ１用パケット管理エリア１１ｆの受信エリア１１ｆ−２に格納されるので、ＭＦＰタスク１２ｈがパケットを外し、ＭＳＳ１タスク１２ｋにて応答内容を解析する（ステップＳ３２）。
【００７４】
一方、ステップＳ３０でＰＣ応答タイマを起動してからある一定の時間（例えば、１０秒）経過しても応答がない場合（ステップＳ３３）、ＭＡＮタスク１２ｆは、オペレーションパネル１の表示用液晶ディスプレイ１−３にその旨の表示を出し、待機状態に戻る（ステップＳ３４）。
【００７５】
ステップＳ３２において、パーソナルコンピュータ３００Ａからの応答が否定の場合も同様に、オペレーションパネル１の表示用液晶ディスプレイ１−３にその旨の表示を出し、待機状態に戻る（ステップＳ３５）。一方、パーソナルコンピュータ３００Ａからの応答が肯定の応答の場合、ＭＡＮタスク１２ｆは、読み取りファイルを送信し（図１３の（６）および（７））、また、オペレーションパネル１の表示用液晶ディスプレイ１−３にテキストファイル受信待ちの表示を出し、パーソナルコンピュータ３００Ａからのテキストファイルが送られてくるのを待つ（ステップＳ３６、図１３の（８））。そして、パーソナルコンピュータ３００Ａからのファイルが転送されない場合のガードタイマを起動する（ステップＳ３７）。
【００７６】
テキストファイルが送られてきたかどうかはファイル転送のためのＭＦＰＩコマンドの受信／未受信によって判断する（ステップＳ３８）。また、テキストファイル受信待ちの状態では他の操作は受け付けないようにする。ある一定の時間（例えば、５分）経過してもテキストファイルが送られてこない場合は、オペレーションパネル１の表示用液晶ディスプレイ１−３にその旨の表示を行う（ステップＳ３９、ステップＳ４０）。
【００７７】
パーソナルコンピュータ３００Ａからテキストファイルが転送されてきた場合（図１３の（１３））は、ＥＤＴタスク１２ｉが、ＨＴＭＬファイルを作成し、ＮＥＴタスク１２ｊがサーバにＦＴＰ転送する。この動作は具体例１と同様である。
【００７８】
次に、パーソナルコンピュータ３００ＡがＯＣＲ起動通知を受信してからの動作を説明する。
図１５は、パーソナルコンピュータ３００Ａ側の動作フローチャートである。
パーソナルコンピュータ３００Ａは、多機能端末１００ＡのＭＳＳ１タスク１２ｋを常時起動した状態で、多機能端末１００ＡからのＯＣＲ起動通知（図１３の（２））の待ち状態にあり、この状態でＯＣＲ起動通知を受信する（ステップＳ５１、図１３の（３））。パラレルインタフェースケーブル４００から、パラレルインタフェース用モジュール３００ｄがＯＣＲ起動通知パケットを受信し、ＭＦＰＩ用モジュール３００ｃにてパケットを外し、パケット管理用エリア３００ｆの受信エリア３００ｆ−２に保存する。
【００７９】
ＭＳＳ１用モジュール３００ｂは、保存したパケットを解析し、ＯＣＲ起動通知と判断した場合は、ＯＣＲアプリケーションソフトを起動する（ステップＳ５２）。ＯＣＲアプリケーションソフトが起動したら（ステップＳ５３）、ＯＣＲ起動受け付けＯＫの応答をパケット管理用エリア３００ｆの送信エリア３００ｆ−１に作成し、ＭＦＰＩ用モジュール３００ｃによりパケット化し、パラレルインタフェース用モジュール３００ｄにてパラレルインタフェースケーブル４００から多機能端末１００Ａに送信する（ステップＳ５４、図１３の（４）および（５））。
【００８０】
その後、読み取りファイル（図１３の（７））を、前述したＯＣＲ起動通知パケットを受信した時と同じ手順で受信し（図１３の（９））、ＯＣＲアプリケーションソフトにてテキストに変換する（ステップＳ５５）。そして、ＯＣＲアプリケーションソフトの制御下で変換イメージをパーソナルコンピュータ３００Ａの画面上で目視で確認し修正を行う（ステップＳ５６、図１３の（１０））。
【００８１】
ユーザによる修正が終了した場合（例えば、ＯＣＲアプリケーションソフトにおいて、修正終了ボタンが押下された等）は（図１３の（１１））、ＯＣＲアプリケーションソフトを終了し、前述したＯＣＲ起動受け付けＯＫの応答パケットを送信するのと同様の手順で、テキストファイルを多機能端末１００Ａに送信する（ステップＳ５７、図１３の（１２））。
【００８２】
尚、ステップＳ５３において、ＯＣＲアプリケーションソフトが起動できなかった場合は、ＭＳＳ１用モジュール３００ｂがＯＣＲアプリケーションソフト起動ＮＧの応答を多機能端末１００Ａに送信する（ステップＳ５８）。
【００８３】
〈効果〉
以上のように具体例２によれば、具体例１の構成に加え、多機能端末１００Ａからパーソナルコンピュータ３００Ａに組み込まれているＯＣＲアプリケーションを起動するようにし、多機能端末１００Ａで読み取った原稿の画像データをパーソナルコンピュータ３００Ａ側でテキストデータに変換するようにし、このテキストデータを用いてＨＴＭＬファイルを作成するようにしたので、テキスト形式でホームページ用のサーバにアップロードすることができるので、アップロードするファイルの大きさも小さくなり、ホームページ用のサーバのメモリの節約およびアップロード時間の節約になる。また、テキストファイルであるため、ブラウザでホームページとして参照する際に読み易いという効果がある。
【００８４】
《具体例３》
具体例３は、多機能端末よりパーソナルコンピュータに対してメール送信を行うための宛先情報を送信し、パーソナルコンピュータはこの宛先情報の受信に基づき、メール送信のための処理を開始するようにしたものである。
【００８５】
〈構成〉
図１６は、具体例３の機能ブロック図である。
図において、多機能端末（ＭＦＰ）１００Ｂは、オペレーションパネル１、キー情報登録手段２、画像読み取り手段１５、アドレス情報出力手段１６を備え、この多機能端末１００Ｂがパーソナルコンピュータ（ＰＣ）３００Ｂに接続されている。また、パーソナルコンピュータ３００Ｂは、画像読み取り指示手段３０２と、メール送信手段３０３を備えている。
【００８６】
オペレーションパネル１は、具体例１、２と同様に、特定の機能を割り付けることのできるキー１ａを備えたもので、多機能端末１００Ｂにおけるユーザインタフェースである。キー情報登録手段２は、具体例１、２と同様に、オペレーションパネル１のキー１ａに、ネットワーク上の特定の情報を登録する機能を有するもので、本具体例では、ネットワークの特定の宛先情報であるインターネットのメールアドレスを登録する機能を有している。
【００８７】
画像読み取り手段１５は、パーソナルコンピュータ３００Ｂからの画像読み取り指示に基づき、画像読み取りを行う機能を有している。アドレス情報出力手段１６は、オペレーションパネル１のいずれかのキー１ａが押下された場合、そのキー１ａに対応した宛先情報をパーソナルコンピュータ３００Ｂに出力する機能を有している。
【００８８】
パーソナルコンピュータ３００Ｂの画像読み取り指示手段３０２は、多機能端末１００Ｂから宛先情報を受け取った場合、多機能端末１００Ｂに対して画像読み取り指示を出力する機能を有している。メール送信手段３０３は、多機能端末１００Ｂより送られた宛先情報と画像を元に、その宛先への画像を含むメール送信を行う機能を有している。
【００８９】
図１７は、具体例３のネットワークシステムの構成図であり、図１６の機能を実現する各ブロックを示したものである。
図において、多機能端末１００Ｂは、オペレーションパネル１、モデムユニット７、スキャナユニット８、プリンタユニット９、ＣＰＵ１０、ＲＡＭ１１、ＲＯＭ１２、パラレルインタフェースユニット１３を備えている。また、多機能端末１００Ｂとパーソナルコンピュータ３００Ｂとはパラレルインタフェースケーブル４００で接続され、パーソナルコンピュータ３００Ｂはネットワーク（インターネット）２００に接続されている。
【００９０】
ここで、図面上の各構成要素の機能は、具体例１、２と同様であるため、ここでの説明は省略する。
【００９１】
図１８は、多機能端末１００Ｂの制御ソフトウェアのモジュール構成図である。
図示のモジュールは、ＯＰＥタスク１２ａ、ＳＣＮタスク１２ｂ、ＰＲＴタスク１２ｃ、ＭＤＭタスク１２ｄ、ＭＳＳタスク１２ｅ、ＭＡＮタスク１２ｆ、ＢＩＣタスク１２ｇ、ＭＦＰタスク１２ｈからなり、各タスクは具体例１、２と同様であるため、ここでの説明は省略する。
【００９２】
図１９は、多機能端末１００ＢにおけるＲＡＭ１１内エリア説明図である。
エリアとしては、各種装置管理用エリア１１ａ、ワンタッチキー情報登録エリア１１ｂ、Ｅ−ｍａｉｌ情報作成用エリア１１ｄ、ＭＳＳ用データパケット管理エリア１１ｇからなる。ここで、各種装置管理用エリア１１ａ、ワンタッチキー情報登録エリア１１ｂ、Ｅ−ｍａｉｌ情報作成用エリア１１ｄについては、その中の、ワンタッチキー情報登録エリア１１ｂ中の種別エリア１１ｂ−３に電話番号とＥ−ｍａｉｌアドレスのみが格納されている点が異なるだけで、他の構成については具体例１、２と同様である。
【００９３】
ＭＳＳ用データパケット管理エリア１１ｇは、多機能端末１００Ｂからパーソナルコンピュータ３００Ｂへの送信パケットを作成するための送信パケット作成エリア１１ｇ−１と、パーソナルコンピュータ３００Ｂからの受信パケットを格納・解析するための受信パケット解析エリア１１ｇ−２を備えている。
【００９４】
図２０は、パーソナルコンピュータ３００Ｂ上のソフトウェアおよびメモリの構成図である。
オペレーティングシステム３００ａ上に、パラレルインタフェースケーブル４００を使ってデータを送受信するためのパラレルインタフェース用モジュール３００ｄ、マルチファンクションを実現するためのＭＦＰＩ用モジュール３００ｃ、およびインターネットＦＡＸの機能を実現するためのインターネットＦＡＸ用メモリサブシステムモジュール３００ｇが組み込まれ、Ｅ−ｍａｉｌ情報管理エリア３００ｈ、パケット管理用エリア３００ｆを使用して動作している。また、パケット管理用エリア３００ｆは、送信エリア３００ｆ−１と受信エリア３００ｆ−２から構成されている。更に、オペレーティングシステム３００ａは、メールサービスモジュール３００ａ−１を備えており、このメールサービスモジュール３００ａ−１は、ネットワーク２００を介してメールの送受信を行う機能を有するものである。
【００９５】
図２１は、パケットの構成説明図である。
パケット５０１は、図示のように、パケット種別５０１ａ、ユニットＩＤ５０１ｂおよびサブシステム毎に決められた内容を格納するエリア５０１ｃから構成されている。パケット種別５０１ａとして、ここでは同じ種類のパケットのみ使用するので標準的なパケットを使用する。ユニットＩＤ５０１ｂはパケットがどのサブシステムのものかを識別するためのユニットＩＤを示している。ここでは、インターネットＦＡＸ用のユニットＩＤを定義しておく。サブシステム毎に決められた内容を格納するエリア５０１ｃは、実際にパーソナルコンピュータ３００Ｂと多機能端末１００Ｂにおいてデータを受け渡しするためのＥ−ｍａｉｌ情報であり、Ｅ−ｍａｉｌの件名、差出人情報、宛先情報、添付ファイル情報からなっている。
【００９６】
以上説明したような図１７〜図１８の構成と図１６に示した各機能ブロックとは次のように対応している。即ち、図１６のキー１ａはワンタッチキー１−１に、キー情報登録手段２はＯＰＥタスク１２ａに、画像読み取り手段１５はＳＣＮタスク１２ｂに、アドレス情報出力手段１６はＭＳＳタスク１２ｅに対応し、かつ、それぞれのタスクをＭＡＮタスク１２ｆが管理している。また、パーソナルコンピュータ３００Ｂにおける画像読み取り指示手段３０２は、ＭＦＰＩ用モジュール３００ｃ、パラレルインタフェース用モジュール３００ｄ、インターネットＦＡＸ用メモリサブシステムモジュール３００ｇ、Ｅ−ｍａｉｌ情報管理エリア３００ｈ、パケット管理用エリア３００ｆで主要構成され、メール送信手段３０３は、インターネットＦＡＸ用メモリサブシステムモジュール３００ｇおよびＥ−ｍａｉｌサービスモジュール３００ａ−１等で主要構成されている。
【００９７】
〈動作〉
図２２は、多機能端末１００Ｂとパーソナルコンピュータ３００Ｂ間のデータの受け渡しのシーケンスチャートである。
図２３は、多機能端末１００Ｂ側の動作フローチャートである。
【００９８】
先ず、ワンタッチキー番号、ＵＲＬ等の宛先情報、および電話番号／Ｅ−ｍａｉｌアドレス等の宛先種別が、それぞれワンタッチキー情報登録エリア１１ｂの、ワンタッチキー番号エリア１１ｂ−１、宛先情報エリア１１ｂ−２、種別エリア１１ｂ−３に登録される。例えば、ワンタッチキーＮｏ．１は、宛先ａ＠ｂｃｄ．ｃｏ．ｊｐで種別はＥ−ｍａｉｌとし、ワンタッチキーＮｏ．２は、宛先が０２７−３２８−ＸＸＸＸで種別がＴＥＬ（電話番号）とする。
【００９９】
図２２のシーケンスチャートにおいて、（１）ワンタッチキー押下からの動作を図２３のフローに沿って説明する。先ず、登録済みのワンタッチキーが押された場合（ステップＳ６１）、ＯＰＥタスク１２ａは、ワンタッチキー情報登録エリア１１ｂの種別エリア１１ｂ−３を見て、Ｅ−ｍａｉｌ用かＦＡＸ用かの判断を行う（ステップＳ６２）。種別がＴＥＬの場合（本具体例ではワンタッチキーＮｏ．２を押した場合）は通常のＦＡＸ送信の処理を行い（ステップＳ６３）、Ｅ−ｍａｉｌの場合（本具体例ではワンタッチキーＮｏ．１を押した場合）は、ＭＡＮタスク１２ｆにてスキャナが利用可能か否かの判断を行う（ステップＳ６４）。原稿がなかったり、スキャナが利用できない状態の場合はオペレーションパネル１の表示用液晶ディスプレイ１−３にその旨の表示を出し、待機状態に戻る（ステップＳ６５）。
【０１００】
スキャナが利用可能な場合は、ステップＳ６６において次のような処理を行う。先ず、ＭＳＳタスク１２ｅにて、各種装置管理用エリア１１ａおよびワンタッチキー情報登録エリア１１ｂの情報を元に、Ｅ−ｍａｉｌ情報作成用エリア１１ｄにＥ−ｍａｉｌ送信のための必要情報を作成する。ＭＦＰタスク１２ｈはＭＳＳ用データパケット管理エリア１１ｇに、Ｅ−ｍａｉｌ起動通知用パケット（図２２の（２））を作成する。これは、図２１に示すような構成のパケットである。
【０１０１】
また、パケット５０１のパケット種別５０１ａ、および、インターネットＦＡＸ用のメモリサブシステム用のパケット識別子であるユニットＩＤ５０１ｂは、システム毎にパーソナルコンピュータ３００Ｂと多機能端末１００Ｂにて取り決める。サブシステム毎に決められた内容を格納するエリア５０１ｃのＥ−ｍａｉｌの件名は、例えば、［Ｅ−ｍａｉｌ  Ｆｒｏｍ  ＸＸＸ（具体的な装置名）］と固定にしてもよいし、装置にてＸＸＸの部分のみ設定可能にしてもよい。Ｅ−ｍａｉｌの差出人情報には、各種装置管理用エリア１１ａの中の多機能端末１００ＢのＩＤ情報を使用する。Ｅ−ｍａｉｌの宛先情報は、ワンタッチキー情報登録エリア１１ｂの中の宛先情報を使用する。Ｅ−ｍａｉｌの添付ファイル情報は、例えば［添付ＸＸＸ（具体的な装置名）］と固定にしてもよいし、装置にてＸＸＸの部分のみ設定可能にしてもよい。このようにして作成されたパケット５０１は、ＢＩＣタスク１２ｇによってパラレルインタフェースケーブル４００を介してホストであるパーソナルコンピュータ３００Ｂに送信される。
【０１０２】
そして、Ｅ−ｍａｉｌ起動通知用パケットをパーソナルコンピュータ３００Ｂに送信後、パーソナルコンピュータ３００Ｂが応答しない場合のガードタイマを起動し（ステップＳ６７）、Ｅ−ｍａｉｌ起動通知用パケットに対する応答を待って次の処理に移行する（ステップＳ６８）。
【０１０３】
パーソナルコンピュータ３００Ｂから何らかの応答があった場合は、ＢＩＣタスク１２ｇによってパラレルインタフェースケーブル４００からＥ−ｍａｉｌ情報格納結果応答パケット（図２２の（５））が、ＭＳＳ用データパケット管理エリア１１ｇにおける受信パケット解析エリア１１ｇ−２に格納されるので、ＭＦＰタスク１２ｈがパケットを外し、ＭＳＳタスク１２ｅにて応答内容を解析する（ステップＳ６９）。
【０１０４】
一方、ある一定の時間（例えば、１０秒）経過しても応答がない場合（ステップＳ７０）、ＭＡＮタスク１２ｆは、オペレーションパネル１の表示用液晶ディスプレイ１−３にその旨の表示を出し、待機状態に戻る（ステップＳ７１）。また、ステップＳ６９において、パーソナルコンピュータ３００Ｂからの応答が否定の場合も同様に、オペレーションパネル１の表示用液晶ディスプレイ１−３にその旨の表示を出し、待機状態に戻る（ステップＳ７２）。
【０１０５】
ステップＳ６９において、パーソナルコンピュータ３００Ｂからの応答が肯定の場合は、オペレーションパネル１の表示用液晶ディスプレイ１−３に、インターネットＦＡＸ用の読み取り待ちの表示を行い、パーソナルコンピュータ３００Ｂからの指示を待つ（ステップＳ７３）。この状態では他の操作は受け付けないようにする。
【０１０６】
また、ＭＡＮタスク１２ｆは、パーソナルコンピュータ３００Ｂからのスキャナが起動されない場合のガードタイマを起動し（ステップＳ７４、図２２の（６））、ある一定の時間（例えば、１０秒）経過してもスキャナの起動がかからない場合は、オペレーションパネル１の表示用液晶ディスプレイ１−３にその旨の表示を出し、待機状態に戻る（ステップＳ７５、Ｓ７６、Ｓ７７）。
【０１０７】
一方、スキャナが起動された場合の処理は、既知のＰＣ起動型の読み取り処理（ステップＳ７８）と同様である。即ち、図２２の（７）スキャナ処理開始〜（１１）スキャナ終了までは従来の動作と同様であり、パーソナルコンピュータ３００Ｂからのスキャナ起動・終了指示に従い、多機能端末１００Ｂがスキャナ処理を行う。
【０１０８】
次に、パーソナルコンピュータ３００Ｂが、Ｅ−ｍａｉｌ起動通知を受信してからの動作を説明する。
【０１０９】
図２４は、パーソナルコンピュータ３００Ｂ側の動作フローチャートである。
パーソナルコンピュータ３００Ｂは、多機能端末１００ＢのインターネットＦＡＸ用のＭＳＳタスク１２ｅを常時起動した状態で、多機能端末１００ＢからのＥ−ｍａｉｌ起動通知（図２２の（２））の待ち状態にあり、この状態でＥ−ｍａｉｌ起動通知を受信する（ステップＳ８１、図２２の（３））。パラレルインタフェースケーブル４００からパラレルインタフェース用モジュール３００ｄが、Ｅ−ｍａｉｌ起動通知パケットを受信し、ＭＦＰＩ用モジュール３００ｃにてパケットを外し、パケット管理用エリア３００ｆの受信エリア３００ｆ−２に保存する。
【０１１０】
インターネットＦＡＸ用メモリサブシステムモジュール３００ｇは、保存したＥ−ｍａｉｌ起動通知の中からＥ−ｍａｉｌ情報を取出し、Ｅ−ｍａｉｌ情報管理エリア３００ｈに保存し（ステップＳ８２）、情報に不備がないかを確認する（ステップＳ８３）。
【０１１１】
インターネットＦＡＸ用メモリサブシステムモジュール３００ｇは、確認結果によってＥ−ｍａｉｌ情報格納成功あるいは失敗の応答を、パケット管理用エリア３００ｆの送信エリア３００ｆ−１に作成し、ＭＦＰＩ用モジュール３００ｃによりパケット化し、パラレルインタフェース用モジュール３００ｄにてパラレルインタフェースケーブル４００から多機能端末１００Ｂに送信する（ステップＳ８４、Ｓ８５、図２２の（４）および（５））。
【０１１２】
その後、従来の、パーソナルコンピュータからスキャナを起動して読み取りを行うのと同様の方法（図２２の（８））で画像データをパーソナルコンピュータ３００Ｂに取り込み（図２２の（１０））、これをファイル化し（ステップＳ８６）、多機能端末１００Ｂのスキャナユニット８を解放する。
【０１１３】
パーソナルコンピュータ３００ＢのインターネットＦＡＸ用メモリサブシステムモジュール３００ｇは、Ｅ−ｍａｉｌ情報管理エリア３００ｈに保存してあるＥ−ｍａｉｌ情報と添付ファイルのためにファイル化してある読み取りデータを元に、オペレーティングシステム３００ａのメールサービスモジュール３００ａ−１のインタフェース用ＡＰＩを適切な引数を取り揃えて呼び出すことによってネットワーク２００にＥ−ｍａｉｌ送信する（ステップＳ８７、図２２の（１２）、（１３））。
【０１１４】
〈効果〉
以上のように具体例３によれば、多機能端末１００Ｂで、ワンタッチキー１−１にＥ−ｍａｉｌアドレスを登録可能とし、インターネットＦＡＸのためのメモリサブシステムでＥ−ｍａｉｌ情報を作成し、ホストであるパーソナルコンピュータ３００Ｂに通知するようにし、パーソナルコンピュータ３００Ｂ側でインターネットＦＡＸ用メモリサブシステムモジュールを設け、多機能端末１００Ｂからの情報を利用してプログラマブルにメールを送信するようにしたので、次のような効果がある。
【０１１５】
即ち、多機能端末１００Ｂにおいて原稿をセットしてワンタッチキーを押すのみでインターネットに読み取りデータを送付できるので、従来のようなパーソナルコンピュータ側での宛先入力や添付ファイルの設定等の煩わしい操作が不要となり、使い勝手が格段に向上する。また、Ｅ−ｍａｉｌ情報が多機能端末１００Ｂからパーソナルコンピュータ３００Ｂに送られた後に、プログラマブルに従来通りの読み取り機能を起動する仕組みを設けて、多機能端末１００Ｂからのパーソナルコンピュータ３００Ｂのインターネット機能を利用する形態でインターネットＦＡＸ機能を実現するので、ハード的および機構的な製造コストがかからない。
【０１１６】
更に、この形態でのインターネットＦＡＸ機能は、パーソナルコンピュータ３００Ｂ側のインターネット機能を利用するため、多機能端末１００Ｂ側で、インターネットに接続するための設定が不要となり、ユーザが簡単に設置可能である。つまり、多機能端末側でインターネット機能を持たせるにはネットワークボードおよびネットワークプロトコルソフトを搭載する必要があるため製造コストがかかる点と、例えばＴＣＰ／ＩＰといったネットワークプロトコルをサポートする際に、ＩＰアドレス等のネットワークの設定をする必要があるが、本具体例では、このような必要がないため、ユーザが容易に設置することができる。
【０１１７】
《具体例４》
具体例４は、多機能端末側のワンタッチキーにインターネットのＵＲＬを登録できるようにし、ワンタッチキーが押下された場合は、そのＵＲＬと起動通知をパーソナルコンピュータに送信し、これによりパーソナルコンピュータが通常のＵＲＬへの接続と、それにより取得したページの印刷を指示するようにしたものである。
【０１１８】
〈構成〉
図２５は、具体例４の機能ブロック図である。
図において、多機能端末（ＭＦＰ）１００Ｃは、オペレーションパネル１、キー情報登録手段２、アドレス情報出力手段１６、印刷手段１７を備え、この多機能端末１００Ｃがパーソナルコンピュータ（ＰＣ）３００Ｂに接続されている。また、パーソナルコンピュータ３００Ｃは、情報取得手段３０４を備えている。
【０１１９】
オペレーションパネル１は、具体例１〜３と同様に、特定の機能を割り付けることのできるキー１ａを備えたもので、多機能端末１００Ｃにおけるユーザインタフェースである。キー情報登録手段２は、具体例１〜３と同様に、オペレーションパネル１のキー１ａに、ネットワーク上の特定の情報を登録する機能を有するもので、本具体例では、ネットワーク上の特定情報の位置であるインターネットのＵＲＬを登録する機能を有している。
【０１２０】
アドレス情報出力手段１６は、オペレーションパネル１のいずれかのキー１ａが押下された場合、そのキー１ａに対応したＵＲＬをパーソナルコンピュータ３００Ｃに出力する機能を有している。印刷手段１７は、パーソナルコンピュータ３００Ｃからの印刷指示に基づき、ネットワーク２００上の情報を印刷する機能を有している。
【０１２１】
パーソナルコンピュータ３００Ｃの情報取得手段３０４は、多機能端末１００ＣからＵＲＬを受け取った場合に起動され、そのＵＲＬにアクセスして対応する画像データを取得し、これを印刷データとして多機能端末１００Ｃに送信する機能を有している。
【０１２２】
また、具体例４のネットワークシステムの構成図としては図１７に示した具体例３と同様であるため、以降、この図１７を援用して説明する。
【０１２３】
図２６は、多機能端末１００Ｃの制御ソフトウェアのモジュール構成図である。
図示のモジュールは、ＯＰＥタスク１２ａ、ＳＣＮタスク１２ｂ、ＰＲＴタスク１２ｃ、ＭＤＭタスク１２ｄ、ＭＳＳ１タスク１２ｋ、ＭＡＮタスク１２ｆ、ＢＩＣタスク１２ｇ、ＭＦＰタスク１２ｈからなる。ここで、具体例３と異なるのは、ホームページ印刷のために、ＵＲＬ情報等のパーソナルコンピュータ３００Ｃに送信するためのパケットの作成や、パーソナルコンピュータ３００Ｃから受信したパケットの処理を行い、ＵＲＬ印刷機能の役割を有するＭＳＳ１（メモリサブシステム１）タスク１２ｋを設けた点である。
【０１２４】
図２７は、多機能端末１００ＣにおけるＲＡＭ１１内エリア説明図である。
エリアとしては、各種装置管理用エリア１１ａ、ワンタッチキー情報登録エリア１１ｂ、ＵＲＬ情報作成用エリア１１ｈ、ＭＳＳ１用データパケット管理エリア１１ｉからなる。ここで、各種装置管理用エリア１１ａ、ワンタッチキー情報登録エリア１１ｂにおいて具体例３と異なるのは、ワンタッチキー情報登録エリア１１ｂ中の種別エリア１１ｂ−３で、電話番号とＥ−ｍａｉｌアドレスに加えてＵＲＬ情報が格納される点である。
【０１２５】
ＵＲＬ情報作成用エリア１１ｈは、多機能端末１００Ｃからパーソナルコンピュータ３００Ｃへ送るＵＲＬ情報を作成するためのエリアである。ＭＳＳ１用データパケット管理エリア１１ｉは、多機能端末１００Ｂからパーソナルコンピュータ３００Ｃへの送信パケットを作成するための送信パケット作成エリア１１ｇ−１と、パーソナルコンピュータ３００Ｃからの受信パケットを格納・解析するための受信パケット解析エリア１１ｇ−２を備えている。
【０１２６】
図２８は、パーソナルコンピュータ３００Ｃ上のソフトウェアおよびメモリの構成図である。
本具体例と具体例３との相違点としては、ＵＲＬ情報を元にブラウザを起動し、ホームページを印刷するためのホームページ印刷用モジュール３００ｉと、多機能端末１００Ｃの印刷機能を利用するためのプリント用ドライバ３００ｊを有する点であり、他のモジュールについては具体例３と同様である。
【０１２７】
図２９は、パケットの構成説明図である。
パケット５０２は、図示のように、パケット種別５０２ａ、ユニットＩＤ５０２ｂおよびサブシステム毎に決められた内容を格納するエリア５０２ｃから構成されている。ここで、具体例３と異なるのは、サブシステム毎に決められた内容を格納するエリア５０２ｃの情報がＵＲＬ情報である点である。
【０１２８】
以上説明したような図１７および図２６の構成と図２５に示した各機能ブロックとは次のように対応している。即ち、図２５のキー１ａはワンタッチキー１−１に、キー情報登録手段２はＯＰＥタスク１２ａに、アドレス情報出力手段１６はＭＳＳ１タスク１２ｋに対応し、かつ、それぞれのタスクをＭＡＮタスク１２ｆが管理している。また、パーソナルコンピュータ３００Ｃにおける情報取得手段３０４は、図２８の各モジュールによりその機能が構成されている。
【０１２９】
〈動作〉
図３０は、多機能端末１００Ｃとパーソナルコンピュータ３００Ｃ間のデータの受け渡しのシーケンスチャートである。
図３１は、多機能端末１００Ｃ側の動作フローチャートである。
【０１３０】
先ず、ワンタッチキー番号、ＵＲＬ等の宛先情報、および電話番号／Ｅ−ｍａｉｌアドレス／ＵＲＬ等の宛先種別が、それぞれワンタッチキー情報登録エリア１１ｂの、ワンタッチキー番号エリア１１ｂ−１、宛先情報エリア１１ｂ−２、種別エリア１１ｂ−３に登録される。例えば、ワンタッチキーＮｏ．１は、宛先ａ＠ｂｃｄ．ｃｏ．ｊｐで種別はＥ−ｍａｉｌとし、ワンタッチキーＮｏ．２は、宛先が０２７−３２８−ＸＸＸＸで種別がＴＥＬ（電話番号）とし、ワンタッチキーＮｏ．３は宛先がｈｔｔｐ：／／ｗｗｗ．ａｂｃｄ．ｃｏ．ｊｐで種別がＵＲＬとする。
【０１３１】
図３０のシーケンスチャートにおいて、（１）ワンタッチキー押下からの動作を図３１のフローに沿って説明する。先ず、登録済みのワンタッチキーが押された場合（ステップＳ９１）、ＯＰＥタスク１２ａは、ワンタッチキー情報登録エリア１１ｂの種別エリア１１ｂ−３を見て、Ｅ−ｍａｉｌ用かＴＥＬ用かの判断を行う（ステップＳ９２）。種別がＴＥＬの場合（本具体例ではワンタッチキーＮｏ．２を押した場合）は通常のＦＡＸ送信の処理を行い（ステップＳ９４）、Ｅ−ｍａｉｌの場合（本具体例ではワンタッチキーＮｏ．１を押した場合）は、具体例３で説明したインターネットＦＡＸの処理を行う（ステップＳ９５）。
【０１３２】
ステップＳ９３において、種別がＵＲＬの場合（本具体例ではワンタッチキーＮｏ．３を押した場合）は、ＭＡＮタスク１２ｆにてプリンタが利用可能か否かの判断を行う（ステップＳ９６）。記録紙がなかったり、プリンタが利用できない状態の場合はオペレーションパネル１の表示用液晶ディスプレイ１−３にその旨の表示を出し、待機状態に戻る（ステップＳ９７）。
【０１３３】
プリンタが利用可能な場合は、ステップＳ９８において次のような処理を行う。先ず、ＭＳＳ１タスク１２ｋにて、各種装置管理用エリア１１ａおよびワンタッチキー情報登録エリア１１ｂの情報を元に、ＵＲＬ情報作成用エリア１１ｈにホームページ印刷のための必要情報を作成する。ＭＦＰタスク１２ｈはＭＳＳ１用データパケット管理エリア１１ｉの送信パケット作成エリア１１ｉ−１に、ホームページ印刷通知用パケットを作成する。これは、図２９に示すような構成のパケットである。
【０１３４】
また、パケット５０２のパケット種別５０２ａ、および、ホームページ印刷用メモリサブシステム用のパケット識別子であるユニットＩＤ５０２ｂは、システム毎にパーソナルコンピュータ３００Ｃと多機能端末１００Ｃにて取り決める。サブシステム毎に決められた内容を格納するエリア５０２ｃには、ＵＲＬ情報を格納する。作成されたパケット５０２は、ＢＩＣタスク１２ｇによってパラレルインタフェースケーブル４００を介してホストであるパーソナルコンピュータ３００Ｃに送信される（図３０の（２））。
【０１３５】
ホームページ印刷通知用パケットをパーソナルコンピュータ３００Ｃに送信後、パーソナルコンピュータ３００Ｃが応答しない場合のガードタイマを起動し（ステップＳ９９）、ホームページ印刷通知用パケットに対する応答を待って次の処理に移行する（ステップＳ１００）。
【０１３６】
パーソナルコンピュータ３００Ｃから何らかの応答があった場合は、ＢＩＣタスク１２ｇによってパラレルインタフェースケーブル４００からホームページ印刷受け付け応答パケット（図３０の（５））が、ＭＳＳ１用データパケット管理エリア１１ｉにおける受信パケット解析エリア１１ｉ−２に格納されるので、ＭＦＰタスク１２ｈがパケットを外し、ＭＳＳ１タスク１２ｋにて応答内容を解析する（ステップＳ１０１）。
【０１３７】
一方、ある一定の時間（例えば、１０秒）経過しても応答がない場合（ステップＳ１０２）は、オペレーションパネル１の表示用液晶ディスプレイ１−３にその旨の表示を出し、待機状態に戻る（ステップＳ１０３）。また、ステップＳ１０１において、パーソナルコンピュータ３００Ｃからの応答が否定の場合も同様に、オペレーションパネル１の表示用液晶ディスプレイ１−３にその旨の表示を出し、待機状態に戻る（ステップＳ１０４）。
【０１３８】
ステップＳ１０１において、パーソナルコンピュータ３００Ｃからの応答が肯定の場合は、オペレーションパネル１の表示用液晶ディスプレイ１−３に、ホームページ印刷待ちの表示を行い、パーソナルコンピュータ３００Ｃからの指示を待つ（ステップＳ１０５、図３０の（６））。この状態では他の操作は受け付けないようにする。
【０１３９】
また、パーソナルコンピュータ３００Ｃからのプリンタが起動されない場合のガードタイマを起動し（ステップＳ１０６）、ある一定の時間（例えば、１０秒）経過しても印刷の起動がかからない場合は、オペレーションパネル１の表示用液晶ディスプレイ１−３にその旨の表示を出し、待機状態に戻る（ステップＳ１０７、Ｓ１０８、Ｓ１０９）。
【０１４０】
一方、印刷が起動された場合の処理は、既知のＰＣ起動型の印刷処理（ステップＳ１１０）と同様である。即ち、図３０の（７）印刷処理開始〜（１１）印刷終了までは従来の動作と同様であり、パーソナルコンピュータ３００Ｃからの印刷処理起動・終了指示に従い、多機能端末１００Ｃが印刷処理を行う。
【０１４１】
次に、パーソナルコンピュータ３００Ｃが、ホームページ印刷通知を受信してからの動作を説明する。
【０１４２】
図３２は、パーソナルコンピュータ３００Ｃ側の動作フローチャートである。
パーソナルコンピュータ３００Ｃは、多機能端末１００Ｃのホームページ印刷用のＭＳＳ１タスク１２ｋを常時起動した状態で、多機能端末１００Ｃからのホームページ印刷通知（図３０の（２））の待ち状態にあり、この状態でホームページ印刷通知を受信する（ステップＳ１１１、図３０の（３））。パラレルインタフェースケーブル４００からパラレルインタフェース用モジュール３００ｄが、ホームページ印刷通知用パケットを受信し、ＭＦＰＩ用モジュール３００ｃにてパケットを外し、パケット管理用エリア３００ｆの受信エリア３００ｆ−２に保存する。
【０１４３】
ホームページ印刷用モジュール３００ｉは、保存したホームページ印刷通知の中からＵＲＬ情報を取出し、情報に不備がないかを確認し、その情報を元にブラウザを起動する（ステップＳ１１２）。
【０１４４】
ホームページ印刷用モジュール３００ｉは、ブラウザに表示されたかどうかをＨＴＴＰ（Ｈｙｐｅｒ  Ｔｅｘｔ  Ｔｒａｎｓｆｅｒ  Ｐｒｏｔｏｃｏｌ：クライアントとサーバが通信する際に用いられるプロトコルで、ＴＣＰ／ＩＰ上で実現されている）レベルで、ファイル要求した際にＨＴＭＬファイルが送られてくるかどうかによって判断する（ステップＳ１１３）。
【０１４５】
そして、ホームページ印刷の受け付けの成功あるいは失敗の応答を、パケット管理用エリア３００ｆの送信エリア３００ｆ−１に作成し、ＭＦＰＩ用モジュール３００ｃによりパケット化し、パラレルインタフェース用モジュール３００ｄにてパラレルインタフェースケーブル４００から多機能端末１００Ｃに送信する（ステップＳ１１４、Ｓ１１５、図３０の（４）および（５））。
【０１４６】
その後、従来の、パーソナルコンピュータからプリンタを起動して印刷を行うのと同様の方法で、プリンタの設定および印字データを多機能端末１００Ｃに送信し（図３０の（７）〜（１１））、多機能端末１００Ｃのプリンタユニット９を解放する（ステップＳ１１６）。
【０１４７】
〈効果〉
以上のように具体例４によれば、多機能端末１００Ｃで、ワンタッチキーにＵＲＬを登録可能とし、ホームページ印刷のためのＭＳＳ１においてＵＲＬ情報を作成し、ホストであるパーソナルコンピュータ３００Ｃに通知するようにし、パーソナルコンピュータ３００Ｃ側でホームページ印刷用モジュールを設け、多機能端末１００Ｃからの情報を利用してプログラマブルにブラウザソフトを起動し、プリンタを起動するようにしたので、次のような効果がある。
【０１４８】
即ち、多機能端末１００ＣにおいてＵＲＬを登録してあるワンタッチキーを押すのみでインターネット上のホームページの内容を印刷することができるので、従来のようなパーソナルコンピュータ側でブラウザを起動しＵＲＬを入力して印刷を実行するといった操作が不要となり、使い勝手が格段に向上する。
【０１４９】
また、ＵＲＬ情報が多機能端末１００Ｃからパーソナルコンピュータ３００Ｃに送られた後に、プログラマブルに従来通りの印刷機能を起動する仕組みを設けて、多機能端末１００Ｃからのパーソナルコンピュータ３００Ｃのインターネット機能を利用する形態でホームページ印刷機能を実現するので、ハード的および機構的な製造コストがかからない。更に、この形態でのホームページ印刷機能は、パーソナルコンピュータ３００Ｃ側のインターネット機能を利用するため、多機能端末１００Ｃ側で、インターネットに接続するための設定が不要となり、ユーザが簡単に設置可能である。
【０１５０】
《利用形態》
尚、上記各具体例では、ホームページのフォーマットとしてＨＴＭＬフォーマットである形態を説明したが、これに限定されるものではなく、ホームページ記述言語であればＨＴＭＬフォーマット以外であってもよい。
【０１５１】
また、ネットワーク２００としてインターネットの場合を説明したが、どのような形態のネットワークでも同様に適用可能である。
【０１５２】
更に、各具体例では、多機能端末１００、１００Ａ、１００Ｂ、１００Ｃと、パーソナルコンピュータ３００、３００Ａ、３００Ｂ、３００Ｃとの接続をパラレルインタフェースケーブル４００で行う例を説明したが、例えばＵＳＢ（Ｕｎｉｖｅｒｓａｌ  Ｓｅｒｉａｌ  Ｂｕｓ）等、パラレルインタフェース以外の接続であってもよい。
【０１５３】
また、各具体例では、サーバアドレスやＥ−ｍａｉｌアドレス等を割り付けるオペレーションパネル１のキーとしてワンタッチキー１−１の場合を説明したが、これ以外のキーに割り付けるよう構成してもよい。
【図面の簡単な説明】
【０１５４】
【図１】本発明のネットワークシステムの具体例１を示す機能ブロック図である。
【図２】具体例１のネットワークシステムの構成図である。
【図３】具体例１の制御ソフトウェアのモジュール構成図である。
【図４】具体例１の多機能端末におけるＲＡＭ内のエリア説明図である。
【図５】具体例１の動作フローチャートである。
【図６】ＨＴＭＬファイルのソースコードの説明図である。
【図７】ブラウザでの表示例の説明図である。
【図８】具体例２の機能ブロック図である。
【図９】具体例２の制御ソフトウェアのモジュール構成図である。
【図１０】具体例２の多機能端末におけるＲＡＭ内のエリア説明図である。
【図１１】具体例２のパーソナルコンピュータ上のソフトウェアおよびメモリの構成図である。
【図１２】具体例２のパケットの構成説明図である。
【図１３】具体例２の多機能端末とパーソナルコンピュータ間のデータの受け渡しのシーケンスチャートである。
【図１４】具体例２の多機能端末側の動作フローチャートである。
【図１５】具体例２のパーソナルコンピュータ側の動作フローチャートである。
【図１６】具体例３の機能ブロック図である。
【図１７】具体例３のネットワークシステムの構成図である。
【図１８】具体例３の制御ソフトウェアのモジュール構成図である。
【図１９】具体例３の多機能端末におけるＲＡＭ内のエリア説明図である。
【図２０】具体例３のパーソナルコンピュータ上のソフトウェアおよびメモリの構成図である。
【図２１】具体例３のパケットの構成説明図である。
【図２２】具体例３の多機能端末とパーソナルコンピュータ間のデータの受け渡しのシーケンスチャートである。
【図２３】具体例３の多機能端末側の動作フローチャートである。
【図２４】具体例３のパーソナルコンピュータ側の動作フローチャートである。
【図２５】具体例４の機能ブロック図である。
【図２６】具体例４の制御ソフトウェアのモジュール構成図である。
【図２７】具体例４の多機能端末におけるＲＡＭ内のエリア説明図である。
【図２８】具体例４のパーソナルコンピュータ上のソフトウェアおよびメモリの構成図である。
【図２９】具体例４のパケットの構成説明図である。
【図３０】具体例４の多機能端末とパーソナルコンピュータ間のデータの受け渡しのシーケンスチャートである。
【図３１】具体例４の多機能端末側の動作フローチャートである。
【図３２】具体例４のパーソナルコンピュータ側の動作フローチャートである。
【符号の説明】
【０１５５】
１ａ  キー
２  キー情報登録手段
３  原稿読み取り手段
４、４ａ  ファイル作成手段
５  ファイル転送手段
１５  画像読み取り手段
１６  アドレス情報出力手段
１７  印刷手段
１００、１００Ａ、１００Ｂ、１００Ｃ  多機能端末
２００  ネットワーク
３００、３００Ａ、３００Ｂ、３００Ｃ  パーソナルコンピュータ
３０１  テキストファイル作成手段
３０２  画像読み取り指示手段
３０３  メール送信手段
３０４  情報取得手段
【図１】
2006197634.tif 000003
【図２】
2006197634.tif 000004
【図３】
2006197634.tif 000005
【図４】
2006197634.tif 000006
【図５】
2006197634.tif 000007
【図６】
2006197634.tif 000008
【図７】
2006197634.tif 000009
【図８】
2006197634.tif 000010
【図９】
2006197634.tif 000011
【図１０】
2006197634.tif 000012
【図１１】
2006197634.tif 000013
【図１２】
2006197634.tif 000014
【図１３】
2006197634.tif 000015
【図１４】
2006197634.tif 000016
【図１５】
2006197634.tif 000017
【図１６】
2006197634.tif 000018
【図１７】
2006197634.tif 000019
【図１８】
2006197634.tif 000020
【図１９】
2006197634.tif 000021
【図２０】
2006197634.tif 000022
【図２１】
2006197634.tif 000023
【図２２】
2006197634.tif 000024
【図２３】
2006197634.tif 000025
【図２４】
2006197634.tif 000026
【図２５】
2006197634.tif 000027
【図２６】
2006197634.tif 000028
【図２７】
2006197634.tif 000029
【図２８】
2006197634.tif 000030
【図２９】
2006197634.tif 000031
【図３０】
2006197634.tif 000032
【図３１】
2006197634.tif 000033
【図３２】
2006197634.tif 000034